【手続補正書】
【提出日】平成17年1月27日(2005.1.27)
【手続補正１】
【補正対象書類名】明細書
【補正対象項目名】全文
【補正方法】変更
【補正の内容】
【書類名】  明細書
【発明の名称】  電気掃除機
【特許請求の範囲】
【請求項１】  吸引風を発する電動送風機を内蔵する本体と、前記電動送風機の吸気上流側で前記本体に着脱自在に設けた集塵ケースを備え、前記集塵ケースは、塵埃を遠心分離する塵埃分離室と、前記塵埃分離室に連通し前記塵埃分離室にて遠心分離された塵埃を収納する塵埃収納室と、前記塵埃分離室と前記電動送風機を連通する第１吸気部と、前記塵埃収納室と前記電動送風機を連通する第２吸気部を有し、前記第１吸気部と前記第２吸気部の吸気下流側に、前記第１吸気部と前記第２吸気部を同時に覆うフィルターを設けた電気掃除機。
【請求項２】  フィルターをカバー体に取付け、このカバー体を集塵ケースに取りつける構成とした請求項１記載の電気掃除機。
【請求項３】  枠体を有するフィルターをカバー体に取付けるとともに、前記枠体を軟質材により形成した請求項１または２記載の電気掃除機。
【請求項４】  フィルターに切り欠き部を設けた請求項１〜３のいずれか１項に記載の電気掃除機。
【請求項５】  カバー体の外形形状が、前後または左右非対称になるように突起部を設けた請求項２〜４のいずれか１項に記載の電気掃除機。
【請求項６】  第１吸気部と前記第２吸気部を同時に覆うフィルターの吸気下流側にさらにフィルターを設け、前記フィルターを別種類の濾材で形成した請求項１〜５のいずれか１項に記載の電気掃除機。
【請求項７】  第１吸気部と前記第２吸気部を同時に覆うフィルターを、前記フィルターの吸気下流側に設けたフィルターより、塵埃捕集性能を向上させた請求項６記載の電気掃除機。
【請求項８】  第１吸気部と前記第２吸気部を同時に覆うフィルターを、前記フィルターの吸気下流側に設けたフィルターより、塵埃捕集性能を低下させた請求項６記載の電気掃除機。
【請求項９】  第１吸気部と前記第２吸気部を同時に覆うフィルターをプリーツ形状とし、このプリーツ形状を上下方向とした請求項１〜８のいずれか１項に記載の電気掃除機。
【請求項１０】  第１吸気部と前記第２吸気部を同時に覆うフィルターを洗浄可能とした請求項１〜９のいずれか１項に記載の電気掃除機。
【発明の詳細な説明】
【０００１】
【発明の属する技術分野】
本発明は、遠心分離式電気掃除機で特に遠心分離部と電動送風機間に、細塵を補集する集塵フィルターを有するものに関する。
【０００２】
【従来の技術】
従来のこの種の電気掃除機ならびに集塵フィルターの構成を図７、図８に基づいて説明する。図７は掃除機の全体を示すもので電動送風機を内蔵する掃除機本体１にホース２を接続し、吸込具３を接続した延長管４を接続している。集塵ケース５は、掃除機本体１に着脱自在に構成されている。
【０００３】
図８に示すように、掃除機本体１は電動送風機６を内蔵しており、前記集塵ケース５は、上下方向に略円筒状に形成され、集塵ケース５は、仕切板７により上方には、塵埃を遠心分離する塵埃分離室８、下方には塵埃分離室８で遠心分離された塵埃を収容する塵埃収納室９が構成されている。前記塵埃分離室８と塵埃収納室９は仕切板７の外周側で連通している。前記仕切板７は略円盤状に形成されており本従来例ではメッシュ状フィルター１０と一体に形成されている。前記集塵ケース５の塵埃分離室８上方には、細塵を捕集するためのフィルター１１が構成されている。ホース２は接続部１２に接続される。
【０００４】
次に、動作・作用を説明する。
【０００５】
吸込具３より空気とともに吸込まれた塵埃は延長管４、ホース２を通り本体１に運ばれる。塵埃を含む空気は、接続部１２から塵埃分離室８に運ばれ、塵埃分離室８内で塵埃と空気に遠心分離される。分離された塵埃は仕切板７外周より塵埃収納室９に排出され、収容される。塵埃分離室８で分離された空気はメッシュ状のフィルター１０、集塵用フィルター１１を通り電動送風機６に吸込まれその後、掃除機本体１外に排気されるものである。
【０００６】
【発明が解決しようとする課題】
しかしながら、上記従来の集塵ケース５の構成では、遠心分離構成だが、塵埃分離室８と塵埃収納室９が集塵ケース５の内周に沿って広い面積で連通しており集塵量が増加すると、集塵ケース５内の気流が乱れて遠心分離性能が低下しメッシュ状フィルター１０からの細塵漏れが増加してしまう。そこで高い塵埃捕集性能を得るために大型で、厚みのあるフィルター１１を使用せねばならず掃除機本体１の大型化を招き価格も高くなってしまっていた。また、集塵ケース５を、掃除機本体１から取り外した状態で運転された際、塵埃が電動送風機６に侵入し故障の原因となってしまっていた。
【０００７】
本発明は、以上のような従来の課題を解決し、低コストで品質性能を向上させた遠心分離式の使用性の高い電気掃除機を提供することを目的とする。
【０００８】
【課題を解決するための手段】
本発明は上記課題を解決するため本発明は、吸引風を発する電動送風機を内蔵する本体と、前記電動送風機の吸気上流側で前記本体に着脱自在に形成した集塵ケースを備え、前記集塵ケースは、塵埃を遠心分離する塵埃分離室と、前記塵埃分離室に連通し前記塵埃分離室にて遠心分離された塵埃を収納する塵埃収納室と、前記塵埃分離室と前記電動送風機を連通する第１吸気部と、前記塵埃収納室と前記電動送風機を連通する第２吸気部を有し、前記第１吸気部と前記第２吸気部の吸気下流側に、前記第１吸気部と前記第２吸気部を同時に覆うフィルターを設けたものである。
【０００９】
上記発明によれば、塵埃分離室と塵埃収納室を集塵ケース内で区画することで細塵の漏れを減少させることができるとともに、前記第１吸気部、第２吸気部を１個のフィルターで十分機能が果たせるため、掃除機本体の小型化、軽量化を行えるとともに、価格も低くできるものである。
【００１０】
【発明の実施の形態】
本発明の請求項１記載の発明は、吸引風を発する電動送風機を内蔵する本体と、前記電動送風機の吸気上流側で前記本体に着脱自在に設けた集塵ケースを備え、前記集塵ケースは、塵埃を遠心分離する塵埃分離室と、前記塵埃分離室に連通し前記塵埃分離室にて遠心分離された塵埃を収納する塵埃収納室と、前記塵埃分離室と前記電動送風機を連通する第１吸気部と、前記塵埃収納室と前記電動送風機を連通する第２吸気部を有し、前記第１吸気部と前記第２吸気部の吸気下流側に、前記第１吸気部と前記第２吸気部を同時に覆うフィルターを設けたものである。
【００１１】
上記発明によれば、塵埃分離室と塵埃収納室を集塵ケース内で区画することで細塵の漏れを減少させることができるとともに、前記第１吸気部、第２吸気部を１個のフィルターで十分機能が果たせるため、掃除機本体の小型化、軽量化を行えるとともに、価格も低くできるものである。
【００１２】
本発明の請求項２記載の発明は、フィルターをカバー体に取付け、このカバー体を集塵ケースに取りつける構成としたもので、フィルターを確実に集塵ケースに固定できるものである。
【００１３】
本発明の請求項３記載の発明は、枠体を軟質材により形成したもので、フィルターと周囲のエアタイトを確実に行うことができ、全吸気をフィルターに通すことで、しっかりと塵埃を捕集できる。
【００１４】
本発明の請求項４記載の発明は、フィルターに切り欠き部を設けたもので、フィルターを誤って逆向きで使用するのを防止でき、既にフィルターに捕集されていた塵埃が流出し、電動送風機に吸込まれ故障の原因となってしまうことを防止できるものである。
【００１５】
本発明の請求項５記載の発明は、カバー体の外形形状が、前後または左右非対称になるように突起部を設けたもので、フィルターを誤って逆向きで使用するのを防止でき、既にフィルターに捕集されていた塵埃が流出し、電動送風機に吸込まれ故障の原因となってしまうことを防止できるものである。
【００１６】
本発明の請求項６記載の発明は、第１吸気部と前記第２吸気部を同時に覆うフィルターの吸気下流側にさらにフィルターを設け、前記フィルターを別種類の濾材で形成したものである。
【００１７】
本発明の請求項７記載の発明は、第１吸気部と前記第２吸気部を同時に覆うフィルターを、前記フィルターの吸気下流側に設けたフィルターより、塵埃捕集性能を向上させたもので、集塵ケースで多くの塵埃を捕集でき、メンテナンス回数を少なくできる。
【００１８】
本発明の請求項８の発明は、第１吸気部と前記第２吸気部を同時に覆うフィルターを、前記フィルターの吸気下流側に設けたフィルターより、塵埃捕集性能を低下させたもので、大きめの塵埃を集塵ケースで、微細な塵埃をその後方のフィルターで捕集する構成となり効率的に塵埃を捕集できるものである。
【００１９】
本発明の請求項９の発明は、第１吸気部と前記第２吸気部を同時に覆うフィルターをプリーツ形状とし、このプリーツ形状を上下方向としたもので、フィルターのプリーツ形状を上下方向とすることで、使用中の振動で捕集した塵埃が落下しやすいため、メンテナンス回数を少なくできる。
【００２０】
本発明の請求項１０の発明は、第１吸気部と前記第２吸気部を同時に覆うフィルターを洗浄可能としたもので、集塵ケースを丸ごと洗浄できメンテナンスを容易にできる。
【００２１】
【実施例】
以下、本発明の実施例について図面を用いて説明する。
【００２２】
（実施例１）
本発明の第１の実施例を、図１、図２、図７を用いて説明する。なお、従来例と同一部分については、同一符号を付してその説明を省略する。
【００２３】
図に示すように、吸引風を発する電動送風機６を内蔵する本体１と、前記電動送風機６の吸気上流側に前記本体１と着脱自在の集塵ケース５を有し、前記集塵ケース５上方には吸引した塵埃を遠心分離する略円筒状の塵埃分離室８を前後方向に設け、塵埃分離室８下方には塵埃分離室８で遠心分離された塵埃を収容する塵埃収納室９を設ける。
【００２４】
前記本体１は前記塵埃分離室８と前記電動送風機６とを連通する第１吸気部２１および前記塵埃収納室９と前記電動送風機６とを連通する第２吸気部２２の２つの吸気部を有し、前記塵埃分離室８内の第１吸気部２１および塵埃収納室９内の第２吸気部２２には、それぞれメッシュ状である第１フィルター１０ａと第２フィルター１０ｂとを設けている。
【００２５】
前記各メッシュ状フィルター１０ａ、１０ｂの下流側には、プリーツ状に形成した１つの第３フィルター１３のみにて、前記２つの吸気部を覆うように集塵ケース５内に設け、前記第３フィルター１３には、前記第１吸気部２１と第２吸気部２２とを分離するための区画壁２３を設け、空気的に分離したものである。また、前記第３フィルター１３の下流側には、さらに第４フィルター１４を設けている。
【００２６】
次に動作、作用を説明する。
【００２７】
吸込具３より空気とともに吸込まれた塵埃は、延長管４、ホース２を通り本体１に運ばれる。塵埃を含む空気は、接続部１２から吸気通路１５を通り塵埃分離室８に運ばれ、前記塵埃分離室８内で塵埃と空気に遠心分離される。分離された塵埃は連通口１６より塵埃収納室９に排出され収容される。塵埃分離室８で分離された空気は、第１フィルター１０ａ、第１吸気部２１、第３フィルター１３、第４フィルター１４を通り、前記電動送風機６に吸込まれ本体１から大気へと排気される。前記塵埃収納室９と前記電動送風機６とを第２吸気部２２により連通し、塵埃収納室９からも吸込むことで、吸気の流速を高め、塵埃分離効率を高めるとともに、前記塵埃収納室９にて収納されている塵埃を圧縮することもできる。
【００２８】
また、第１吸気部２１、第２吸気部２２が離れている場合には、別々のフィルターを使用する必要があるが、前記第１吸気部２１、第２吸気部２２を上下方向にそれぞれ設けたことにより、１個のフィルターで十分機能が果たせるものである。さらに、第３フィルター１３は、前記集塵ケース５を前記本体１から取り外して水洗い可能でもある。
【００２９】
（実施例２）
本発明の第２の実施例を、図３、図４を用いて説明する。図３、図４は、それぞれ第３フィルター１３、第４フィルター１４の斜視図である。
【００３０】
第３フィルター１３と第４フィルター１４を別種類の濾材（濾材の流路抵抗が異なる）で構成し、第３フィルター１３の塵埃捕集性能を第４フィルター１４よりも向上させたものである。
【００３１】
なお、上記実施例１と同一符号のものは同一構造を有し、説明は省略する。
【００３２】
動作、作用を説明すると、第３フィルター１３と第４フィルター１４を別種類の濾材で構成し、第３フィルター１３の塵埃捕集性能を第４フィルター１４よりも良好とすることで、集塵ケース５で塵埃をほとんど捕集でき、容易にメンテナンス可能な集塵ケース５内の第３フィルター１３のみのメンテナンスで性能維持ができる。また、集塵ケース５を外した状態で誤って運転されても、本体１の第３フィルター１３の下流側でかつ電動送風機６の上流側に配置した第４フィルター１４で塵埃を捕集することで、電動送風機６に塵埃が侵入することを防止でき、電動送風機６の故障発生を防げる。
【００３３】
一方、第３フィルター１３と第４フィルター１４を別種類の濾材（濾材の流路抵抗が異なる）で構成し、第４フィルター１４の塵埃捕集性能を、第３フィルター１３より向上させた場合について説明する。
【００３４】
動作、作用を説明すると、第３フィルター１３と第４フィルター１４を別種類の濾材で構成し、第４フィルター１４の塵埃捕集性能を第３フィルター１３よりも良好とすることで、大きめの塵埃を第３フィルター１３で捕集し、微細な塵埃を第４フィルター１４で捕集する構成となり効率的に塵埃を捕集できるものである。
【００３５】
（実施例３）
本発明の第３の実施例を、図５を用いて説明する。図５は第３フィルター１３と、カバー体１７の斜視図である。
【００３６】
図５に示すように、第３フィルター１３およびカバー体１７および枠体１８の一部に切り欠き部を設け、左右非対称に形成した第３フィルター１３をカバー体１７に取りつけたあと、集塵ケース５に取りつける構成としたものである。
【００３７】
前記第３フィルター１３は、枠体１８をエラストマーで構成し、濾材のプリーツ形状を上下方向に形成したものである。前記カバー体１７は、係止突起１９により集塵ケース５に着脱自在に取付けられるものである。
【００３８】
動作、作用を説明すると、第３フィルター１３をカバー体１７に取りつけたあと、集塵ケース５に取りつける構成とすることで、第３フィルター１３を確実に集塵ケース５に固定でき、枠体１８をエラストマーで構成することで、第３フィルター１３とカバー体１７とのエアタイトを確実に行うことができ、全吸気を第３フィルター１３に通すことで、しっかりと塵埃を捕集できる。
【００３９】
また、第３フィルター１３、第４フィルター１４のプリーツ形状を上下方向とすることで、捕集した塵埃が使用時の振動により落下しやすいため、フィルターのメンテナンス回数を少なくできる。
【００４０】
また、第３フィルター１３を左右非対称に形成することで、第３フィルター１３を誤って逆の面で使用するのを防止でき、既にフィルターに捕集されていた塵埃が流出し、第４フィルター１４を汚してしまうことを防止できるものである。
【００４１】
なお、本実施例で枠体１８はエラストマーとしたが、軟質ＰＰ、ゴム、軟質塩化ビニル等の弾性を有する軟質材とすることもできる。
【００４２】
（実施例４）
本発明の第４の実施例を、図６を用いて説明する。図６は、第３フィルター１３と、カバー体１７の斜視図である。
【００４３】
図６に示すように、第３フィルター１３をカバー体１７に着脱するための操作を簡便にするための突起部２０を枠体１８に設け、前記突起部２０を左右非対称な位置に形成したものである。
【００４４】
動作、作用を説明すると、第３フィルター１３をカバー体１７に着脱するための操作を簡便にするための突起部２０を枠体１８に設け、前記突起部２０を左右非対称な位置に形成することで、第３フィルター１３のカバー体１７への誤挿着を防止できるものである。
【００４５】
【発明の効果】
以上説明したように本発明は、低コストで品質性能を向上させた遠心分離式の使用性の高い電気掃除機を提供できる。
【図面の簡単な説明】
【図１】
本発明の第１の実施例における掃除機本体の断面図
【図２】
同第３フィルターの斜視図
【図３】
本発明の第２の実施例における第３フィルターの斜視図
【図４】
同第４フィルターの斜視図
【図５】
本発明の第３の実施例における第３フィルターおよびカバー体の斜視図
【図６】
本発明の第４の実施例における第３フィルターおよびカバー体の斜視図
【図７】
従来の電気掃除機の全体図
【図８】
同掃除機本体の断面図
【符号の説明】
１  掃除機本体
５  集塵ケース
６  電動送風機
８  塵埃分離室
９  塵埃収納室
１０ａ  第１フィルター
１０ｂ  第４フィルター
１３  第３フィルター
１４  第４フィルター
２１  第１吸気部
２２  第２吸気部